(57)【要約】【課題】  多数の水上水中物体の位置、種別、数を衛星画像または航空写真を利用して、その異動を容易に監視する。【解決手段】  高空から撮影した水上水中物体の画像を用い、予め登録された水上水中物体の存在される水域に対して、水上水中物体の状態パラメータ（種別、位置、数）の異動を認識することにより、水上水中物体の監視と管理を行う。水上水中物体の画像を取得する際に、太陽光による画像への擾乱を避けるため、水上水中物体に対する撮影姿勢を太陽光入射角の関数として管制する。さらに、水上水中物体の位置を決定するために補正を水流による位置変化を補正して行う。水上水中物体の種別、位置識別には予め登録された水上水中物体の形状情報により最尤の判定を行う。【選択図】  図２
2005148790.tif 000002
【特許請求の範囲】
【請求項１】
索により固定点に連結され位置が変化しうる水上水中物体を監視する装置であって、
高空から撮影した前記水上水中物体の画像情報を取得する画像情報取得手段と、
該画像情報取得手段により取得した画像情報を蓄積する画像情報蓄積手段と、
高空から撮影した以前の画像情報と現在の画像情報とを比較分析する画像情報比較分析手段と、
画像情報を含む情報の入出力を行うインターフェイス手段と、を具備し、前記水上水中物体の状態パラメータに関する情報を監視する水上水中物体監視装置。
【請求項２】
さらに、
太陽の高度を認識する太陽高度認識手段と、
該太陽高度認識手段により認識された太陽高度に基づいて、水面に太陽光線が反射し画像の少なくとも一部が判別不可能になることを避けるように撮影方向を設定する画像撮影方向設定手段と
を備えることを特徴とする請求項１に記載の水上水中物体監視装置。
【請求項３】
さらに、前記水上水中物体の画像取得位置が前記水上水中物体の直上でないことに起因する画像の歪を除去する歪み除去手段であって、前記水上水中物体の水上部分又は高空より可視の水中物体の形状と位置とを求め、水面の標高分布が一様であることを利用して水面上の物体および地形の標高分布を用いることなしに該水上水中物体の該水面上の形状または上空より視認できる該水中物体の正射画像を得ることにより歪みを除去する歪み除去手段と、該歪み除去手段により歪みを除去した後の画像情報に基づいて前記水上水中物体の位置を確定する手段と、を有する請求項１又は２に記載の水上水中物体監視装置。
【請求項４】
前記水上水中物体の輪郭を認識する輪郭認識手段であって、水面上より視認できる前記水上水中物体の画像の輪郭を強調し、あるいは濃淡分布を補正し、あるいは色彩成分分布を補正し、あるいは、これらの処理を組合せ、さらに該処理後の画像を２値化することにより、あるいは事前に登録された該水上水中物体の基準形状との相関により、前記水上水中物体の水面上のあるいは水中の輪郭形状を認識する輪郭認識手段と、
該輪郭認識手段によって認識された輪郭に基づいて、前記水上水中物体の種別を識別する種別認識手段と、
該種別認識手段により認識された種別に基づいて、前記水上水中物体の種別毎の状態パラメータを推定する手段と
を有することを特徴とする請求項１から３までのいずれか１項に記載の水上水中物体監視装置。
【請求項５】
さらに、前記水上水中物体との各種別毎の基準形状と、前記水上水中物体に対する付着物の量の度合いと、に関する代表的な数値に対応する基準画像と、表示画面上に表示されている水上水中物体の対象画像とを比較し、該対象画像に対応する水上水中物体への付着量を推定する手段を有することを特徴とする請求項１から４までのいずれか１項に記載の水上水中物体監視装置。
【請求項６】
さらに、前記水上水中物体を高空から撮影した以前の画像情報と、今回の画像情報とを比較することにより、前記水上水中物体の状態パラメータの変化を計測する計測手段を有することを特徴とする請求項１から５までのいずれか１項に記載の水上水中物体監視装置。
【請求項７】
画像情報比較分析手段は、索により連接され、かつ、該索の一端又は両端が水中又は水面上又は水中の固定点に固定される複数の水上水中物体を連接した構造により構成される前記上水中物体に関する以前の水面上の輪郭形状と今回の水面上の輪郭形状とを比較する比較手段と、
前記水上水中物体の水流による湾曲を検出する検出手段と、
該検出手段により検出された湾曲に関して以前と今回との画像間に存在する水流又は固定点の変位により発生する前記水上水中物体の水面上での位置および方向の差分を補正により消去する補正手段と、
該補正手段により補正された前記水上水中物体の状態パラメータを推定する手段と
を有することを特徴とする請求項１から６までのいずれか１項に記載の水上水中物体監視装置。
【請求項８】
前記水上水中物体が存在することを許容された水域に対して、
前記水上水中物体が連結された集合体又は配置上の列をなす集合体（以下、「水上水中物体集合体」と称する。）に対して第１の認識番号を付し、該水上水中物体集合体を構成するそれぞれの水上水中物体に対して、前記第１の認識番号に対して下位の第２の認識番号を付し、該第２の認識番号に対して前記水上水中物体の所有者情報を対応付けすることによりその異動を管理する管理手段を有することを特徴とする請求項１から７までのいずれか１項に記載の水上水中物体監視装置。
【請求項９】
さらに、前記水上水中物体の前回の画像と今回の画像とを、重複しないように表示又は印刷可能に変位させる変位手段と、
前回の前記水上水中物体集合体の両端の固定点を連結する直線方向に直角に平行移動した領域に、今回の前記水上水中物体の両端を連結した線分が位置するように配置する手段と
を有することを特徴とする請求項１から８までのいずれか１項に記載の水上水中物体監視装置。
【請求項１０】
さらに、前回と今回との前記水上水中物体を、識別可能に並列表示させるように制御する表示制御手段を有することを特徴とする請求項８に記載の水上水中物体監視装置。
【請求項１１】
前回の前記水上水中物体の画像と今回の前記水上水中物体の画像とを並列表示させる際に、それらの表示位置を連続的に移動させることができる位置指定手段を有することを特徴とする請求項１０に記載の水上水中物体監視装置。
【請求項１２】
表示された前回の前記水上水中物体の画像と今回の前記水上水中物体の画像とに基づいて、前記水上水中物体を構成する水中物体物体の異動の有無を判定し、その判定結果を、前記物体水中物体を指示することにより特定して入力する入力手段と、
を  該入力手段からの入力内容に基づいて、前記水上水中物体の状態パラメータに関する変化を示す手段と
を有することを特徴とする請求項１１に記載の水上水中物体監視装置。
【請求項１３】
予め地図又は海図上で定義されるか、又は、位置情報により定義された水面閉領域内に対して、前記水上水中物体の状態パラメータの変化を計測する手段であって、前記水面閉領域が複数存在する場合には、該水面閉領域の一部又は全てに対して前記水上水中物体の状態パラメータの変化を計測する計測手段を有することを特徴とする請求項１から１２までのいずれか１項に記載の水上水中物体監視装置。
【請求項１４】
水上水中物体の状況と対応して水没又は浮上する位置に縞模様状の標識を付した棒状体。
【請求項１５】
請求項１４に記載の棒状体を上下方向に斜めに設置し、高空より該棒状標識を観測することにより、前記水上水中物体の沈下状況を計測する方法。
【発明の詳細な説明】
【技術分野】
【０００１】
本発明は、水上物体および水中物体の監視を行う装置に関し、特に、水中の固定点との間において索により連結され、浮上部の位置が移動し変化しうる水上に設置された浮遊体又は水中の固定点で水底に固定された水上物体又は水中の固定点で水底に固定された水中物体（以下、「水上水中物体」と称する）の種別、数、位置、沈下量、水上水中物体に対する付着物の量等の状態パラメータの変化を監視する技術に関する。
【背景技術】
【０００２】
従来、水上水中物体の状態を監視する技術としては、例えば、下記特許文献１及び特許文献２に記載されている。特許文献１に記載の技術は、例えば魚介類栽培用の水上水中物体を持ち上げた場合、あるいは水中への吊り下げ部分が切断されて張力が変化した場合に、その状態変化を水上水中物体に設置されたセンサーにより変化を検知して通報することにより盗難を予防する装置であり、検知信号と水上水中物体のアドレスコードを無線により監視装置に伝送するものである。
【０００３】
また、特許文献２に記載の技術は、主として海上の船舶を対象としており、GPS受信機を搭載した船舶からその位置信号を観測衛星に対して送信し、観測衛星において撮影した画像と各船舶から受信した位置信号とを、観測衛星が地上の監視装置に送信する技術である。地上の監視装置では、衛星画像に撮影されている船舶と送信されてきた各船舶の位置信号とを照合し、位置信号を送信してこなかった船舶が衛星画像上に検出された場合、これを警報対象とする。
【特許文献１】特開平8-235454号公報（魚介類盗難予防装置）
【特許文献２】特開平9-35200号公報（移動体監視システム）
【発明の開示】
【発明が解決しようとする課題】
【０００４】
しかしながら、上記特許文献１に記載の技術は、水上水中物体を監視するために、それぞれの水上水中物体に対して個々に測定器を設置する必要があり、また水上水中物体のアドレスコードによる識別は可能であるものの位置の特定が難しい。従って、広域に亘って、水上水中物体の位置分布状況の監視を行うためには、位置の特定のためのセンサーも追加して設ける必要がある。さらに、広範な範囲に設置された水上水中物体からの信号を全て集約して集中監視を行う装置を設けることに関してもコスト上の問題がある。加えて、監視装置を自発的に水上水中に設置しない限り監視の対象とはならないため、監視されることが水上水中物体の所有者の利益とならない場合には、この技術を用いることができないという問題点もある。
【０００５】
また、上記特許文献２に記載の技術は、衛星画像により船舶の存在と位置とを画像で把握すると同時に、船舶に搭載されたGPSにより計測された船舶の位置情報を観測衛星経由で地上の監視装置に伝送させて比較照合する技術を開示するものであり、位置を報告しない船舶を発見することを主目的とするものである。この技術は、広範な公海上を対象としており、限られた沿岸での密接する大量の、かつ、移動手段が曳航または潮流等に限定された水上水中物体の位置監視を行うため用いようとする場合には、しばしば１０００個以上の大量となり、かつ大きさが１０ｍから５ｍ以下の水上水中物体に設置するにしては装置が大規模すぎること、さらに密接する水上水中物体には位置分解能の点でGPS信号による識別が難しいという問題点がある。
【０００６】
本発明の目的は、予め決められた水上領域に近接して設置される水上水中物体のそれぞれに特別の装置を設置することなく、また、水上水中物体と地上監視装置との間に通信手段などを設けることなく、水上水中物体の種別、数、配置、沈下量、該水上水中物体に対するの量およびそれらの変化を、低コストで監視し報告することができる技術を提供することである。
【課題を解決するための手段】
【０００７】
上記目的を達成するために、本発明は、分解能が高い衛星画像または航空写真を利用して水上水中物体の個別映像を認識し、事前に登録された設置範囲における設置場所付近の水上水中物体の個別識別を行い、その種別、数、位置水上水中物体の変化を認識し、水上水中物体の異動を把握報告する手段とを備えることを特徴とする。
【０００８】
さらに、本発明は、衛星画像または航空写真の利用に際して、太陽の反射光による画像への悪影響を避けるため撮像姿勢管制機能を有し、また水上水中物体の設置位置を把握するために水上水中物体が同一標高面上に存在し、かつ水陸境界線も同一標高面に存在する性質を利用して、地表の標高分布を求めることなしに高精度に水上水中物体位置を確定し、水上水中物体の異動を把握する。
【０００９】
さらに、本発明は、水上水中物体が索により相互連結され水中ないし水底ないし水上の固定点に固定されている場合には、水流等による位置変化と方向の変化を除去し、予め登録された水上水中物体の形状と比較認識し、水上水中物体の種別、水上水中物体に対する付着物の量を認識する。また、事前に規定された水上水中物体設置場所に対する水上水中物体の異動を把握する。
【００１０】
さらに、本発明は、周期パターンを有する標識を水面に一定の角度を持たせて設置することにより該水上水中物体の水面に対する沈下状態を衛星画像または航空写真のみから測定可能とすることを特徴とする。
【発明の効果】
【００１１】
以上、説明したように、本発明によれば、水上水中物体の衛星画像または航空写真を用いて、水流による位置変化を補正し、画像撮影点および地形による画像歪による位置誤差の補正を行い、また予め登録されている水上水中物体の種類別形状との最尤度比較により個別の水上水中物体の種別と位置を正確に標定する為、水上水中物体の前回画像撮影時点からの設置の異動を正確に求めることが出来る。本発明によれば、水上水中物体には何ら識別信号発信機または位置報告信号発信機を設置する必要はなく、専ら衛星画像または航空写真にのみに拠って水上水中物体の種別、位置、数の異動を認識し管理することが出来る。また、本発明によれば、水上水中物体の個別の位置が画像として、水流による位置変化と、画像撮影点および地形による画像歪を補正した状態で正確に得られるので、撮影時期の異なる画像を計算機により画像処理で比較することにより、容易に個別の水上水中物体の設置状態を把握し比較が行える。
【発明を実施するための最良の形態】
【００１２】
水上水中物体とは、水上または水中の固定点に索により連結され、浮上部の位置が移動し変化しうる水上に設置された浮遊体あるいは水中の固定点で水底に固定された水上物体あるいは水中の固定点で水底に固定された水中物体（以下、「水上水中物体」と称する。）である。
【００１３】
固定点とは、水上又は水中においても、ほとんど移動せずに水上水中物体を保持するための基点である。
【００１４】
水中の索とは、固定点と水上水中物体とを連結する連結体であり、例えば線状の連結体により、固定点との間である程度の移動に関する自由度を持たせつつ、水上水中物体を保持するものである。
【００１５】
インターフェイス手段とは、画像情報に基づいて画像を表示する表示手段と、情報を入力する情報入力手段と、情報を出力する情報出力手段と、外部との情報のやり取りを行う通信手段であって、監視した状況を外部に報告するための通信も行う通信手段と、のうちから選択される一部又は全てを含む。
【００１６】
状態パラメータとは、水上水中物体の種別、数、配置、沈下量、該水上水中物体に対する付着物の量など、水上水中物体の状態を示すパラメータである。
【００１７】
本発明に係る水上物体又は水中物体などの水上水中物体（浮遊物）の監視システムは、軌道衛星などにより高空から撮影された水上水中物体の画像に基づいて、水上水中物体の異動を精度良く監視することができるシステムである。軌道衛星から撮影された水上水中物体の画像に基づいて、水上水中物体の異動を精度良く監視するためには、衛星軌道、衛星姿勢による歪みを除去し、太陽光線の影響も低減させることが必要となり、これにより、水上水中物体の経度緯度を正確に管理することができる。
【００１８】
以下、本発明の第１の実施の形態による水上物体および水中物体の監視装置について図面を参照して具体的に説明する。
【００１９】
図１は、本発明の第１の実施の形態による水上水中物体の監視システムの構成例を示す図である。図１に示すように、本実施の形態による水上水中物体の監視システムにおいては、水面１２上またはその直下に浮遊する水上水中物体１１の画像を高空より、例えば観測衛星１０により撮影し、地上局９へダウンリンクデータ１４として伝送する。
【００２０】
尚、水上水中物体は、例えば図２３（ａ）から（ｃ）までのいずれかに示される構造を有している。図２３（ａ）は、水上浮遊体３０が、索２９により連接され、水面１２に浮遊し、杭１２８を介して水底１２７の固定点２６において固定されている構成を示す図である。図２３（ｂ）は、水底１２７の固定点２６において杭１２８で支持された水上物体１２９を示す図である。図２３（ｃ）は、水底１２７の固定点２６において杭１２８で支持された水中物体１３０を示す。尚、固定点は、完全に固定されている場合の他に、ある点を基準に多少移動できるように構成されていても良い。
【００２１】
図１に示したように、このような水上水中物体１１を撮影するための地上局９からの撮影指令は、例えば、地上局９から観測衛星１０に対してアップリンクデータ１３として伝送される。入力装置３は、例えば、パーソナルコンピュータ（以下、「ＰＣ」と称する。）のキーボードなどでもよく、入力装置３により、監視対象の水上水中物体１１を含む監視すべき緯度経度範囲を入力することができる。この入力データは、中央処理装置１を経て衛星指揮装置７に撮影指令として伝えられる。地上局９は観測衛星１０が水上水中物体１１の上空に来たときに撮影を行うようにアップリンクデータ１３を伝送する。
【００２２】
撮影された水上水中物体１１の画像は、観測衛星１０からダウンリンクデータ１４により送られた後、水上水中物体監視装置の画像入力装置８を経由して中央処理装置１による処理を経て画像記憶装置５内に蓄積される。画像入力装置８は、インターネットによる通信回線からの入力を行うことができる装置でもよく、或いは、DVD読み込み装置などでもよい。衛星画像は、Tiff、Ntiff、あるいはJPEGなどの業界標準データ形式で記述されているのが好ましく、これらの読み込み等のインターフェイス処理は公知の方法で行うことができる。
【００２３】
画像入力装置８により読み込まれた画像は、撮影時期、撮影対象の位置（緯度経度）、衛星姿勢角情報などとともに画像記憶装置５内に蓄積される。この画像記憶装置５には、例えば、撮影時期の異なる衛星画像が、撮影時期、撮影対象緯度経度、衛星姿勢角情報と対応付けされて記憶されており、さらに、水上水中物体に関して画像に基づいて認識された情報、ユーザが入力装置３（図１）又は１９（図２）より入力した情報から、監視、管理対象である水上水中物体の経時的変化を求めることが可能である。表示装置２は、パーソナルコンピュータ（以下「PC」）のCRT又は液晶表示装置を用いることができる。
【００２４】
次に、本発明の第２の実施の形態による水上水中物体の監視システムについて説明する。図２は、本実施の形態による水上水中物体の監視システムのシステム構成例を示す図である。
【００２５】
図２に示すシステムと、図１に示すシステムとの主要な相違点は、図２に示すシステムにおいては、通信装置が、例えばインターネットを経由する分散システムを構成した点である。図２に示すシステムでは、中央処理装置１及び画像記憶装置５は、衛星画像を集中管理するサーバであり、中央処理装置１７、表示装置１８、入力装置１９、出力装置２０、画像記憶装置２１、通信装置１６は、水上水中物体を監視するサイト毎に分散設置され、入力装置１９からの衛星画像要求指令に基づき、対象となる地域に関する画像のみを画像記憶装置５より通信回線経由で伝送する。
【００２６】
次に、図１、図２に示すシステムに関する動作について説明する。本発明の第１又は第２の実施の形態による水上水中物体監視装置を用いて水上水中物体１１を監視するためには、まず、入力装置３から、監視対象水面の緯度経度範囲を入力する。図１０は、水上水中物体設置水域の例を示す平面図である。図１０に示すような地図を表示装置１８に表示させ、水域境界線５２、５３、５４を表示して監視すべき水域を入力装置より選択することができる。或いは、図１０の地図上において、入力装置３を利用して任意の水域境界線を入力してもよい。尚、符号５５は海岸線を示す。
【００２７】
図１０に示す地図は、画像記憶装置５又は２１に記憶されており、監視対象水域が指定されたことにより、当該対象水域の衛星画像撮影指令を出す準備が整う。中央処理装置１から、衛星指揮装置７を経由し地上局９より観測衛星１０に対して撮影指令を出す。衛星の軌道は、積極的に変えないことを前提としているため、撮影対象を決定すると、軌道に基づいて撮影時期と撮影時の衛星の姿勢とを決定することができる。
【００２８】
この撮影指令と撮影時期及び衛星の姿勢の決定にあたっては、撮影時に太陽の反射光が水面に反射しないように撮影時期と衛星姿勢とを制御するのが好ましい。
【００２９】
図１４は、本実施の形態による制御アルゴリズムを示す図であり、図３（ａ）は、観測衛星１０と太陽光の衛星への影響に関連する図である。図３（ａ）において、符号３１は太陽入射光が実質的にS１の方向より来ることを示す。太陽入射光は、撮影地表範囲２２の端Aにおいて反射し観測衛星１０により撮像される。符号３３は、太陽入射光がS２の方向より来ることを示し、撮影地表範囲２２の反対側の端Bで反射し観測衛星１０で撮像される。
【００３０】
図１４の処理ブロック７１において、まず、撮影対象領域を確定する。処理ブロック７２において、画像分解能が劣化しないようにオフナディア角が例えば２５度以下となる範囲に入る軌道部分を選択する。尚、オフナディア角とは撮影する場合に衛星の直下視からの姿勢のずれを角度で示したものであり、撮影対象地表が直下点より離れるにつれて大きくなる。軌道が定まれば、軌道上での観測衛星１０の通過時刻が定まる。通過時刻が定まれば、太陽光の観測衛星１０への入射方向が定まる。
【００３１】
処理ブロック７３においては、図３（ａ）において、地表２２の範囲内で太陽光が反射して衛星に入射する時刻を求める。処理ブロック７２で求めた時刻から処理ブロック７３で求めた時刻を除外した時間内に撮影を行うように、衛星指揮装置７より地上局９を介して観測衛星１０に指令を出す。
【００３２】
次に、図３（ｂ）および図３（ｃ）を参照して、太陽光線に対する衛星の撮影方向の許容範囲の算出方法について述べる。ここで、３次元空間の点Ｏは、地球の中心１４２で座標系の原点である。衛星位置１３７は３次元ベクトルＳで示される。地球表面１３４上の撮影個所の中心Ｃはベクトルｒで示される。Ｐは、衛星光軸１３６を示すベクトルである。符号１３５は、地球表面１３４における衛星が撮影する画像範囲（衛星視野）を示す。衛星光軸１３６と地球表面１３４とは、地球表面交点１３８である点Ｃにおいて交わる。衛星視野１３５は、地球表面１３４上のＣで地球表面１３４に接する平面である。３次元ベクトルＱは反射光方向１４４であり、この方向から太陽光線が入射すると水面で反射して衛星光軸１３６に一致し、衛星画像の中央が太陽反射光で損なわれる。
【００３３】
３次元ベクトルＬは太陽方向１４３を表す。以上の関係を数式化すると下記（１）、（２）となる。
【００３４】
【数１】
2005148790.tif 000003
【００３５】
【数２】
2005148790.tif 000004
【００３６】
衛星画像撮影範囲を衛星光軸１３６に対してγ の角度をなす範囲とし、δは水面の波浪によって太陽光の反射角度が拡散する効果に対応するものであり、波浪状態に依存する。また、撮影画像の分解能と歪とを許容限度以下に保つため、オフナディア角を２５°以下とすれば、下記（４）を満足する必要がある。
【００３７】
【数３】
2005148790.tif 000005
【００３８】
以上の（２）〜（４）式までを満足する条件が撮影可能な条件である。
衛星が撮影した画像は衛星姿勢、衛星位置と地表の相対位置関係、地表の形状により無限遠点から鉛直平行光線で投射した画像に比較して歪を生じる。そこで、水上水中物体およびその監視の特徴を最大限に利用して効率的に歪を除去する方法について以下に説明する。
【００３９】
図４は、撮影時の地表と衛星との位置関係を示す図である。撮影地表範囲２２内に陸地表面２４とジオイド面２３とが存在する。水上水中物体は、それ自体高さがほとんど無く、海面に存在すればジオイド面２３上に存在すると考えてよい。尚、内陸部の水面であれば、ジオイド面に一定標高を加えた面と考えることができる。
【００４０】
図１５は、水上水中物体位置計算アルゴリズムにおける衛星による撮影画像から、水上水中物体の正確な位置を計算するための原理を示す相互関連図である。地表面は標高ゼロの海面の場合、ジオイド面に接する球面で近似される。これを近似ジオイド面（E面）７６と称する。近似ジオイド面（E面）７６は、撮影により衛星内の撮像面（S面）７５に投射される。撮像光軸８４は撮像面（S面）７５に点Ｉ０で撮像面と撮像光軸の交点７８で直交する。撮像光軸８４は衛星の軌道と姿勢により定まる。図１５における点Ｓ０は撮影光軸焦点８９であり、近似ジオイド面（E面）上の点ｘは投影軸８６により、撮像面（S面）７５上の点ｙに投影される。
【００４１】
近似ジオイド面（E面）上の点ｘはオルソ面（M面）７７に投影された場合、位置的歪の無い像となる。点Ｘ０は近似ジオイド面の中心に直交するオルソ投影光軸８５の足であり、点Ｊ０でオルソ投影光軸８５とオルソ面（M面）７７が直交する。点Ｒ０は近似ジオイド面（E面）７６と点Ｘ０で接する近似球面の中心点である。近似ジオイド面（E面）７６上の点ｘは投影軸８７によりオルソ面（M面）７７上の点ｚに投影される。これらの変数は3次元ベクトルであり、下記の（５）から（１１）の関係が成り立つ。
点ｘは、点Ｒ０を中心とする半径Rの球面上にあるから、
【００４２】
【数４】
2005148790.tif 000006
が成り立つ。点Ｉ０、Ｓ０、Ｘ０は同一直線上にあるから、
【００４３】
【数５】
2005148790.tif 000007
が成り立つ。撮像面（S面）７５と撮像光軸８４が直交する条件から
【００４４】
【数６】
2005148790.tif 000008
が成り立つ。ここで、・は内積をあらわす。点ｘ、Ｓ０、ｙが同一直線上にある条件から、
【００４５】
【数７】
2005148790.tif 000009
が成り立つ。オルソ面（M面）７７と投影軸８５が直交する条件から
【００４６】
【数８】
2005148790.tif 000010
が成り立つ。点ｘ、Ｒ０、ｚが同一直線上にある条件から、
【００４７】
【数９】
2005148790.tif 000011
が成り立つ。点Ｊ０、Ｘ０、Ｒ０は同一直線上にあるから、
【００４８】
【数１０】
2005148790.tif 000012
が成り立つ。
【００４９】
撮像面（S面）７５上の点ｙにおけるピクセル値Ｐ（ｙ）が与えられたとき、上記の式（５）から（１０）を満足するＭ面上のピクセル値ベクトルＱ（ｚ）を求めることが出来る。このM面上のピクセル値Ｑ（ｚ）は近似ジオイド面（E面）７６上に対して衛星軌道、衛星姿勢による歪を除去した画像となる。
【００５０】
図１６は、上記M面上のピクセル値Ｑ（ｚ）の性質を利用して水上水中物体に関する歪のない画像を得るためのアルゴリズムを示す図である。処理ブロック９０において撮像光軸８４を定め、処理ブロック９１、９２において、撮像面（S面）７５上の総ての座標 に対してピクセル値Ｐ（ｙ）から近似ジオイド面（E面）７６を介してM面上のピクセル値Ｑ（ｚ）を求める。処理ブロック９３において、M面上の点ｚが図４において水陸境界線２５の陸側に存在するときには、計算したM面上のピクセル値を結果画像として採用しない。これにより、不正確な位置情報を排除することができる。以上の処理により、水上水中物体の位置較正済み画像が得られる。図７は、上記のようにして得られた水上水中物体の集合体について強調処理を施した衛星画像の例を示す図である。衛星画像の処理方法は、まず微分演算系の輪郭強調フィルター（Ｓｏｂｅｌフィルターなど）を施し、次にヒストグラムを計算し、濃淡分布がフルスケールとなるようにする。さらに、必要に応じて平滑化処理又は微分演算フィルター処理を行い、輪郭を強調する。
【００５１】
図８は、水上水中物体の集合体に関して強調処理を施したもう一つの衛星画像の例である。図８に示す画像の場合には、さらに、画像を閾値により２値化する。２値化した画像は一般に、微小な点状の白黒のノイズを含む。そこで、２値化画像の膨張と細線化とを繰り返し、水上水中物体の輪郭を抽出する。
【００５２】
図１９（ｃ）は、図７の強調画像より抽出した輪郭線画像である。図１９（ｃ）の画像に対して、ラベリング処理を行うことにより個別の図形を識別し、認識番号を振ることが出来る。認識番号を付した個別図形に対して、例えば長方形の長辺、短辺のように、特徴量を種別毎に予め登録されている水上水中物体の数値と比較し、比較の結果、差異が一定の偏差範囲であればその種別として確定する。既に抽出された輪郭図形毎に認識番号が付されているため、ここで求めた種別により、種別毎の数量、各水上水中物体の位置を確定することが出来る。
【００５３】
図２４は、付着物の量が異なる水上水中物体の例を示す。図２５はその一部を拡大した図である。図２５に示すように、水上水中物体への付着物の量により画像の濃度が異なることを利用し、例えば予め１０％、５０％、１００％の付着量に対応した画像の基準濃度を求めておき、測定対象の水上水中物体の濃度を基準濃度と比較し、内挿および外挿などの演算処理により水上水中物体への付着物量を推定することができる。
【００５４】
また、本実施の形態によるシステムを用いると、例えば、水上水中物体の各種別毎の基準形状と、水上水中物体に対する付着物の量の度合いと、に関する複数の代表的な数値に該当する画像を、表示画面上に表示されている単数又は複数の該水上水中物体を指定する指定手段を設けることにより、得られた水上水中物体の位置較正済み画像から、水上水中物体種別識別用標準画像と特徴パラメータとを得ることが可能である。図９は水上水中物体の集合体に関して強調された衛星画像と水上水中物体との種別設定用表示枠の例を示す図である。
【００５５】
図１７は、水上水中物体種別識別用の標準水上水中物体取込処理のアルゴリズムを示すフローチャート図である。図１７に示すように、処理ブロック９５において図９に示すような水上水中物体存在水域の位置較正済画像を表示装置２に表示する。処理ブロック９６において、カーソルを表示装置２（図１）または１８（図２）に表示し、処理ブロック９７において、入力装置３（図２）又は１９（図２）からの操作により、標準的な水上水中物体の画像にカーソルを移動し、取込キー操作によりカーソルに囲まれる画像を中央処理装置１（図１）又は１７（図２）に取り込む。
【００５６】
図９における符号４９、５０、５１は、水上水中物体標準形指定カーソルを示す。水上水中物体は、一般に長方形又は正方形の形状を有しているため、処理ブロック９８において、水上水中物体の向きをカーソル中水上水中物体各辺がカーソル枠に平行となるように移動及び回転させる。処理ブロック９９において、水上水中物体の長辺および短辺の長さを計測する。さらに、水上水中物体の長方形又は正方形の内部が水面であるか或いは水上構造物で被覆されているかなどの特徴情報を抽出する。
【００５７】
処理ブロック１００において、処理ブロック９９で抽出した情報と、カーソル内画像に水上水中物体種別認識番号を付して画像記憶装置５（図１）又は２１（図２）に記憶する。さらに上記実施例の変形例について図２５を参照して説明する。図２５に示すように、水上水中物体の付着物量により濃度が異なって撮影されている代表的水上水中物体を、表示装置画面上でカーソルにより指定し、対応する付着物量を実地で測定する等して入力装置よりカーソルで指定した水上水中物体と対応させて記憶させる。図２５において、標準画面指定カーソル１３１、標準画面指定カーソル１３２、標準画面指定カーソル１３３、の各々に対応して水中付着物量を１０％、５０％、１００％などと入力する。以上に説明した処理結果を用いて、水上水中物体管理情報を画像より抽出し管理する。
【００５８】
図１８は、水上水中物体認識管理処理のアルゴリズムを示すフローチャート図である。図１８に示すように、処理ブロック１０１において画像記憶装置５に記憶されている水上水中物体存在水域における位置較正済画像を中央演算装置１または１７に読み出す。監視対象水域は、図１０において水域境界線５２、５３、５４のように示され、処理ブロック１０２において、全ての監視対象水域に対して順次処理を行う。処理ブロック１０３において、水域境界線５２、５３、５４の境界線座標を、中央演算装置１（図１）又は１７（図２）に読み出す。処理ブロック１０４で、監視水域内画像に対してエッジ強調による輪郭抽出を行った後、２値化する。
【００５９】
図１９（ａ）は、２値化処理後の画像例を示す図である。この図に示すように、２値化後の画像は、一般に画像ノイズを含んだ画像となる。図１９（ｂ）は、図１９（ａ）に示される画像について膨張と細線化とを繰り返して水上水中物体集合体を連結した画像である。図１９（ｂ）に示される画像を細線化することにより、図１９（ｄ）に示す弧状の形状を得ることができ、水上水中物体集合体を連結する索成分を抽出することができる。図１９（ｄ）に示すように水上水中物体集合体が湾曲して配置されているのは、水流および風により索が流された結果であり、図１９（ｄ）のＡ、Ｂに示す索の基準位置は、索基準位置端点１１２を結んだ線分ＡＢである。索基準位置は、図１１に示す水上水中物体設置水域における水上水中物体集合体の表示例で示す、水域境界線５２の内部に水上水中物体集合体Ｎｏ．１アドレス５６、水上水中物体集合体Ｎｏ．２アドレス５７、水上水中物体集合体Ｎｏ．ｎアドレス５８のように示される。
【００６０】
図１９（ｄ）に示す総ての索成分に対してラベリング処理を行い、識別番号を付す。処理ブロック１０５においては、処理ブロック１０４のラベリング処理で識別番号を付した図１９（ｄ）において例示する総ての索成分について順次処理を行う。処理ブロック１０６において、図１０の水上水中物体設置水域画像の端点の緯度経度が確定しており、かつその内部の画像は近似ジオイド面（Ｅ面）７６に対して位置が較正されているため、図１０の画像または水域境界線５２、５３、５４に対して、図１９（ｄ）で求めた索成分の両端の索基準位置端点１１２の相対位置が定まれば、該索基準位置端点１１２の緯度経度を求めることが出来る。
【００６１】
図２０に示す水上水中物体集合体管理表は、水域認識番号欄６６で示される水域毎にラベリングされた索成分に対する該識別番号を水上水中物体集合体認識番号欄６７に記憶し、その両端点の緯度経度情報を表形式にしてそれぞれ索基準位置端点１緯度欄１１４、索基準位置端点１経度欄１１５、索基準位置端点２緯度欄１１６、索基準位置端点２経度欄１１７に記憶して管理するものである。
【００６２】
処理ブロック１０７においては、図１９（ｂ）に示すように、索成分を索の幅方向に膨張させ水上水中物体の幅員を超える幅に広げ、水上水中物体の存在する範囲を包含するようにする。膨張させた範囲内に関して水上水中物体集合体の画像を輪郭抽出し２値化した後、膨張と細線化とを行って図１９（ｃ）のような水上水中物体集合体を抽出する。抽出した水上水中物体に対してラベリング処理を行い、各々の水上水中物体に識別Ｎｏを付す。水上水中物体集合体内の水上水中物体に対する識別Ｎｏの付し方は、図１２において水上水中物体集合体の認識番号付与例に示すように、索６４に沿って、水上水中物体Ｎｏ．１アドレス５９、水上水中物体Ｎｏ．２アドレス６０、水上水中物体Ｎｏ．３アドレス６１、水上水中物体Ｎｏ．４アドレス６２、水上水中物体Ｎｏ．５アドレス６３というように水上水中物体認識番号が付される。
【００６３】
処理ブロック１０８は、処理ブロック１０７で求められた水上水中物体集合体に含まれる各水上水中物体について順次処理するものである。処理ブロック１０９は、水流又は風により水上水中物体の位置が移動することによる影響を除去し、水上水中物体の位置を正確に把握し異なる時点の状況の比較を容易にし、管理をし易くするための処理である。すなわち、処理ブロック１０７においては、図５において、水上水中物体１を示す３５１、水上水中物体２を示す３６１、水上水中物体３を示す３７１、水上水中物体４を示す３８１、水上水中物体５を示す３９１の画像が得られているが、これらの画像より、水上水中物体１中心点基準位置３５、水上水中物体２中心点基準位置３６、水上水中物体３中心点基準位置３７、水上水中物体４中心点基準位置３８、水上水中物体５中心点基準位置３９を算出する。
【００６４】
索２７の両端における固定点２６、２７を結んだ線分が索基準位置であり、この索基準位置と水上水中物体１中心点異動位置４０、水上水中物体２中心点異動位置４１、水上水中物体３中心点異動位置４２、水上水中物体４中心点異動位置４３、水上水中物体５中心点異動位置４４との間の偏移である水上水中物体１偏移３５２、水上水中物体２偏移３６２、水上水中物体３偏移３７２、水上水中物体４偏移３８２、水上水中物体５偏移３９２を算出する。
【００６５】
この算出処理は、水上水中物体１中心点異動位置４０から索基準位置である固定点２６、２７を結んだ線分に垂線を下ろし、その交点を水上水中物体１中心点基準位置３５とすることにより求めることができる。以下、水上水中物体２を示す符号３６１、水上水中物体３を示す符号３７１、水上水中物体４を示す符号３８１、水上水中物体５を示す符号３９１、に対して同様の処理を行う。最後に符号３５１の水上水中物体１を水上水中物体１中心点基準位置３５の回りで四辺が固定点２６、２７を結んだ線分が索基準位置に平行ないし直交するように回転させる。
【００６６】
この処理を符号３９１の水上水中物体５まで順次行う。処理ブロック１１０では図１２に示す水上水中物体Ｎｏ．１アドレス５９から水上水中物体Ｎｏ．５アドレス６３である索上の水上水中物体標準配置位置に最も近い水上水中物体に水上水中物体認識番号を割り当て、図１３に示す水上水中物体管理表の水上水中物体認識番号欄６８に記載する。尚、水域認識番号欄６６と、水上水中物体集合体認識番号欄６７とは、図２０において作成した当該情報を転記する。処理ブロック１１１は、図１７に示す水上水中物体種別識別用の標準水上水中物体取込アルゴリズムにより求めた水上水中物体の長辺長と、短辺長と、その他の特徴情報を水上水中物体１から順次、各水上水中物体と比較して最類似の水上水中物体種別認識番号を図１３の水上水中物体種別認識番号欄６９に記載する。尚、所有者情報７０は画像自体からは判別できないため、別途、入力装置３又は１９を用いて水域認識番号６６、水上水中物体集合体認識番号６７、水上水中物体認識番号６８、との対応により、手動又は記憶媒体から入力設定する。
【００６７】
水上水中物体が索２９により連接されておらず、図２３（ｂ）又は図２３（ｃ）のように水底に固定されている場合には、索２９が、水流、風により流され変形することはないため、以上に述べたアルゴリズムを簡略化し、索の変形が当初よりない場合として処理することにより対応できる。すなわち、図２４に示すように、水上水中物体が行および列を構成する場合には、この行または列のそれぞれを水上水中物体集合体とすればよい。また、処理ブロック１０９において得られた索基準位置に水上水中物体を整列させた画像（以下、「水上水中物体整列画像」と称す。）を、画像記憶装置５又は２１に記憶させておき、撮影時点の異なる水上水中物体整列画像を、表示位置をずらせて重畳表示することも出来る。水面を黒色表示し、撮影時期の異なる水上水中物体を異なった色で表示させることにより、水上水中物体の時系列的な変化を把握することができる。図２２に、上記処理のアルゴリズムを示す。図２２に示すように、まず、処理を開始し、ステップ１２２において、監視対象水域の緯度・経度範囲又は識別番号を入力装置より取り込む。ステップ１２３において、ステップ１２２で指定された水域の水上水中物体の位置較正済み画像を画像記憶装置より取り出して表示する。ステップ１２４において、ステップ１２２で指定された水域の「位置較正済み画像を、画像記憶装置より取り出し、ステップ１２３と異なる色で移動表示量だけステップ１２３とずらして表示する。ステップ１２５において、入力装置より移動表示量を取り込むか否かを判断する。取り込む場合には、移動表示量を更新し、ステップ１２４に戻る。入力装置より移動表示量を取り込まない場合には、そのまま処理を終了する。
【００６８】
さらに、処理ブロック１２５及び処理ブロック１２６により、入力装置３（図１）又は１９（図３）より表示偏移量を例えばマウスの操作によって入力し、表示装置２（図１）又は１８（図３）上で異なる時点の水上水中物体整列画像の表示を制御して比較するのに最適な偏移量を手動設定することが出来る。図６に示すように、異なる時点であって同一個所の索により連接され、固定点に係留された水上水中物体の集合体を並列表示し、水域の総ての水上水中物体の集合体について並列表示をすることができる。
【００６９】
また、総ての水上水中物体の画面上の位置と管理情報が、図１３に示す水上水中物体管理表と図２０に示す水上水中物体集合体管理表により把握されているため、表示画面上でカーソルを前回又は今回の水上水中物体に合わせ、異動を入力装置より入力すれば、図１３の水上水中物体管理表における異動情報７０１を記入することが出来る。この異動情報には、水上水中物体の有無の変化、水上水中物体の種別の変化、水上水中物体の所有者の変化、設置許可の有無等が含まれる。尚、異動情報７０１は、画像処理により自動生成された前回及び今回の図１３に示す水上水中物体管理表と図２０に示す水上水中物体集合体管理表とを比較することにより自動生成することも出来る。
【００７０】
図１３に示す水上水中物体管理表と図２０に示す水上水中物体集合体管理表とを印字出力することにより、水上水中物体監視、管理情報として使用することも出来る。
【００７１】
また、図１３に示す水上水中物体管理表における各水域毎、種別毎の水上水中物体数を集計すれば、水上水中物体管理数値が得られ、その時系列的変化を把握し管理することもできる。
【００７２】
さらに、水上水中物体の監視と管理のためには、水上水中物体の水面からの沈下量を衛星画像から計測することが有効である。沈下量を衛星画像から計測する手段としては、図２１に示す沈下量計測棒の設置例で示す沈下度表示計１１８を水面に対して傾けて設置する。図２１の上の図は沈下量計測棒１１８を上方より見た図であり、図２１の下の図は側方より見た図である。図２１に示すように、沈下量計測棒１１８の上面は沈下量計測棒黒色マーク部１１９と沈下量計測棒白色マーク部１２０とが交互に周期的に配置されている。
【００７３】
また、沈下量計測棒１１８は図２１に示すように、水平長Lに対して高低差ｈだけ傾けて設置される。衛星画像はディジタル画像であるため、ピクセルで表現される。ピクセルサイズ（分解能）以下の地表情報は得られないため、上記のように沈下量計測棒１１８を傾斜させることにより、等価的分解能をｈ／Ｌにすることが出来る。
【００７４】
実用的には、沈下量計測棒白色マーク部１２０または沈下量計測棒黒色マーク部１１９のいずれかの水平距離をピクセルサイズ（分解能）の２倍以上に設定すれば、衛星画像では必ず濃淡の縞が撮影される。衛星画像の１ピクセル内に、沈下量計測棒の黒い部分と白い部分とが混在すると、ピクセル値は白と黒の中間の濃度となる。沈下量計測棒の黒い部分と白い部分とをそれぞれピクセル値として完全に捉えるとＳ／Ｎ比が最も良くなる。そのためには、ピクセル内で沈下量計測棒の黒い部分と白い部分が混在しえないように、それぞれの長さを規定すればよく、それぞれピクセルサイズの２倍以上とすればよい。
【００７５】
このようにすることによって、完全な黒のピクセル値と完全な白のピクセル値とが画像上に記録され、白および黒の完全なピクセル値の出現ピーク数を数えることにより、以下の式で表される誤差を有する沈下量を測定できる。
誤差＝２Ｒｈ／Ｌ
ここで、Ｒはピクセルサイズ（分解能）を示す。
【００７６】
以上、説明したように、本発明に各実施の形態によれば、水上水中物体の衛星画像または航空写真を用いて、水流による位置変化を補正し、画像撮影点および地形による画像歪による位置誤差の補正を行い、また予め登録されている水上水中物体の種類別形状との最尤度比較により個別の水上水中物体の種別と位置を正確に標定する為、水上水中物体の前回画像撮影時点からの設置の異動を正確に求めることが出来る。
【００７７】
また、水上水中物体には何ら識別信号発信機または位置報告信号発信機を設置する必要はなく、専ら衛星画像または航空写真にのみに拠って水上水中物体の種別、位置、数の異動を認識し管理することが出来る。
【００７８】
さらに、水上水中物体の個別の位置が画像として、水流による位置変化と、画像撮影点および地形による画像歪を補正した状態で正確に得られるので、撮影時期の異なる画像を計算機により画像処理で比較することにより、容易に個別の水上水中物体の設置状態を把握し比較が行える。さらに、水上水中物体の個別の位置と形状が画像として正確に得られ、計算機で処理可能なディジタルデータとして記憶されていることにより、次に列挙する効果がある。
【００７９】
第１に、形状と大きさを正確に補正した水上水中物体の画像を表示装置に表示させ人間が指定することにより、水上水中物体の種類別形状を水上水中物体監視装置に登録することが出来る。この登録した画像と形状、大きさが類似の水上水中物体を同一種別の水上水中物体として認識することが出来、水上水中物体の監視が容易になる効果がある。
【００８０】
第２に、水面上で水上水中物体の存在する水域を表示装置上から、あるいは入力装置から緯度経度あるいは地図または海図で入力し水上水中物体監視装置に取り込むことが出来、正確に把握した個別の水上水中物体の位置と比較して、当該水域ごとの水上水中物体の種別、位置、数を監視し管理することが出来る。
【００８１】
第３に、個別の水上水中物体の位置が把握できるため、水上水中物体の存在が許された水域ごとに、個別の水上水中物体の座標、存在の有無、所有者を個別の水上水中物体に対して把握することが出来、水上水中物体監視装置より表示装置あるいは出力装置を経由して報告することが出来る。
【００８２】
第４に、正確に個別の位置と形状が画像として把握された撮影時期の異なる水上水中物体の画像を重複ないし表示位置をずらせて隣接表示することにより、表示装置を通して水上水中物体の異動を目視確認することが出来る。尚、上記各実施の形態において説明したフローチャート図に沿った方法又はこの方法をコンピュータに実行させるためのプログラムも本発明の範疇に入るものとする。
【産業上の利用可能性】
【００８３】
本発明は、水上水中物体として港に停留している船舶群などの監視にも応用可能である。
【図面の簡単な説明】
【００８４】
【図１】本発明の一実施の形態の水上水中物体認識管理装置の概略構成を示すブロック図である。
【図２】本発明の別の実施の形態の水上水中物体認識管理装置の概略構成を示すブロック図である。
【図３】太陽方向と衛星の撮像方向の関係を示す図である。
【図４】衛星の撮像方向と水上水中物体および水陸境界面の位置関係を示す図である。
【図５】索により連接され、固定点に係留された水上水中物体の集合体の図である。
【図６】異なる時点の、同一個所の、索により連接され固定点に係留された水上水中物体の集合体を並列表示した図である。
【図７】水上水中物体の集合体の強調された衛星画像の例（その１）である。
【図８】水上水中物体の集合体の強調された衛星画像の例（その２）である。
【図９】水上水中物体の集合体の強調された衛星画像と水上水中物体の種別設定用表示枠の例である。
【図１０】水上水中物体設置水域の表示例である。
【図１１】水上水中物体設置水域における水上水中物体集合体の表示例である。
【図１２】水上水中物体集合体の認識番号付与例である。
【図１３】水上水中物体管理表の例である。
【図１４】太陽光反射除去アルゴリズムである。
【図１５】水上水中物体位置計算アルゴリズム関連図である。
【図１６】水上水中物体位置計算アルゴリズムである。
【図１７】水上水中物体種別識別用の標準水上水中物体取込アルゴリズムである。
【図１８】水上水中物体認識管理アルゴリズムである。
【図１９】水上水中物体集合体画像処理結果画像である。
【図２０】水上水中物体集合体管理表である。
【図２１】沈下量計測棒の設置例である。
【図２２】水上水中物体画像比較表示アルゴリズムである。
【図２３】（ａ）水上水中物体の設置例、（ｂ）水上物体の設置例、（ｃ）水中物体の設置例である。
【図２４】水中物体の集合体の強調された衛星画像の例である。
【図２５】水上水中物体の集合体の強調された衛星画像と水上水中物体の付着物量の代表的数値に該当する画像を入力する画面の例である。
【符号の説明】
【００８５】
１、１７…中央処理装置、２、１８…表示装置、３、１９…入力装置、４、２０…出力装置、５、２１…画像記憶装置、６…記憶装置、７…衛星指揮装置、８…画像入力装置、９…地上局、１０…観測衛星、１１…水上水中物体、１２…水面、１３…アップリンクデータ、１４…ダウンリンクデータ、１５、１６…通信装置、２２…撮影地表範囲、２３…ジオイド面、２４…陸地表面、２５…水陸境界線、２６、２７…固定点、２８、２９…索、３０…水上浮遊体、３１…太陽入射光S1、３２…太陽反射光S1、３３…太陽入射光S2、３４…太陽反射光S2、３５…水上水中物体１中心点基準位置、３５１…水上水中物体１中心点基準位置、３５２…水上水中物体１偏移、３６…水上水中物体２中心点基準位置、３６１…水上水中物体２、３６２…水上水中物体２偏移、３７…水上水中物体３中心点基準位置、３７１…水上水中物体３、３７２…水上水中物体３偏移、３８…水上水中物体４中心点基準位置、３８１…水上水中物体４、３８２…水上水中物体４偏移、３９…水上水中物体５中心点基準位置、３９１…水上水中物体５、３９２…水上水中物体５偏移、４０…水上水中物体１中心点異動位置、４１…水上水中物体２中心点異動位置、４２…水上水中物体３中心点異動位置、４３…水上水中物体４中心点異動位置、４４…水上水中物体５中心点異動位置、４５…固定点、４６…索、４７、４８…水上水中物体集合体、４９、５０，５１…水上水中物体標準形指定カーソル、５２、５３、５４…水域境界線、５５…水陸境界線、５６…水上水中物体集合体Ｎｏ．１アドレス、５７…水上水中物体集合体Ｎｏ．２アドレス、５８…水上水中物体集合体Ｎｏ．ｎアドレス、５９…水上水中物体Ｎｏ．１アドレス、６０…水上水中物体Ｎｏ．２アドレス、６１…水上水中物体Ｎｏ．３アドレス、６２…水上水中物体Ｎｏ．４アドレス、６３…水上水中物体Ｎｏ．５アドレス、６４…索、６５…水上水中物体管理表、６６…水域認識番号欄、６７…グループ認識番号欄、６８…水上水中物体認識番号欄、６９…水上水中物体種別認識番号欄、７０…所有者情報認識番号欄、７０１…異動情報欄、７１、７２，７３，７４…処理ブロック、７５…撮像面（S面）、７６…近似ジオイド面（E面）、７７…オルソ面（M面）、７８…撮像面と撮像光軸の交点、７９…近似ジオイド面と撮像光軸の交点、８０…オルソ面とオルソ投影光軸の交点、８１…撮像面（S面）上の点ｙ、８２…近似ジオイド面（E面）上の点Ｘ、８３…オルソ面（M面）上の点ｚ、８４…撮像光軸、８５…オルソ投影光軸、８６…近似ジオイド面（E面）上の点Ｘの撮像面（S面）上の点ｙに対する投影軸、８７…近似ジオイド面（E面）上の点Ｘのオルソ面（M面）上の点ｚに対する投影軸、８８…オルソ投影光軸焦点、８９…撮像光軸焦点、１１２…索基準位置端点、１１３…水上水中物体集合体管理表、１１４…索基準位置端点１緯度欄、１１５…索基準位置端点１経度欄、１１６…索基準位置端点２緯度欄、１１７…索基準位置端点２経度欄、１１８…沈下量計測棒、１１９…沈下量計測棒黒色マーク部、１２０…沈下量計測棒白色マーク部、１２１…沈下量計測棒増設部、１２２，１２３，１２４，１２５，１２６…処理ブロック、１２７…水底、１２８…杭、１２９…水上物体、１３０…水中物体、１３１…水上水中物体付着物量１対応標準画面指定カーソル、１３２…水上水中物体付着物量２対応標準画面指定カーソル、１３３…水上水中物体付着物量３対応標準画面指定カーソル、１３４…地球表面、１３５…衛星視野、１３６…衛星光軸、１３７…衛星、１３８…衛星光軸と地球表面交点、１３９…X軸、１４０…Y軸、１４１…Z軸、１４２…地球中心、１４３…太陽方向、１４４…反射光方向。
【図１】
2005148790.tif 000013
【図２】
2005148790.tif 000014
【図３】
2005148790.tif 000015
【図４】
2005148790.tif 000016
【図５】
2005148790.tif 000017
【図６】
2005148790.tif 000018
【図７】
2005148790.tif 000019
【図８】
2005148790.tif 000020
【図９】
2005148790.tif 000021
【図１０】
2005148790.tif 000022
【図１１】
2005148790.tif 000023
【図１２】
2005148790.tif 000024
【図１３】
2005148790.tif 000025
【図１４】
2005148790.tif 000026
【図１５】
2005148790.tif 000027
【図１６】
2005148790.tif 000028
【図１７】
2005148790.tif 000029
【図１８】
2005148790.tif 000030
【図１９】
2005148790.tif 000031
【図２０】
2005148790.tif 000032
【図２１】
2005148790.tif 000033
【図２２】
2005148790.tif 000034
【図２３】
2005148790.tif 000035
【図２４】
2005148790.tif 000036
【図２５】
2005148790.tif 000037